(57)【要約】【課題】シートの保持力を向上させることが可能なシート保持構造とそれを備えた掃除具を提供することである。【解決手段】シート保持構造１は、可撓性材料からなり、主表面を有するベースプレート１０１と、ベースプレート１０１の主表面に形成されたスリットとを備える。スリットは、湾曲スリット１０と、湾曲スリット１０に沿った方向に間隔をあけて、湾曲スリット形成縁１１に連なり、かつ湾曲スリット形成縁１１から突出して延びるように形成された突出スリット２０、３０、４０、５０、６０とを含む。指先状押圧部１４が撓み、ベースプレート１０１の一方の主表面上に載せられるシート２００の一部分が湾曲スリット１０と突出スリット２０、３０、４０、５０、６０に挿入されて係止されることによって保持される。【選択図】        図５
2006122355.tif 000002
【特許請求の範囲】
【請求項１】
可撓性材料からなり、主表面を有する基材と、
前記基材の主表面に形成されたスリットとを備え、
前記スリットは、
湾曲スリットと、
前記湾曲スリットに沿った方向に間隔をあけて、前記湾曲スリットの凸部側の形成縁に連なり、かつ前記湾曲スリットの凸部側の形成縁から突出して延びるように形成された複数の突出スリットとを含み、
前記湾曲スリットで囲まれた前記基材の部分が撓み、前記基材の一方の主表面上に載せられるシートの一部分が前記湾曲スリットと前記突出スリットに挿入されて係止されることによって保持される、シート保持構造。
【請求項２】
前記湾曲スリットの凹部側の形成縁には、凸部側の形成縁に向かって突出した突出縁部が形成されている、請求項１に記載のシート保持構造。
【請求項３】
複数の前記突出縁部が前記湾曲スリットの凹部側の形成縁に形成されており、複数の前記突出縁部の各々は、複数の前記突出スリットの各々が突出する方向に延びるように突出している、請求項２に記載のシート保持構造。
【請求項４】
前記基材の他方の主表面上において、前記湾曲スリットまたは前記突出スリットの形成縁近傍には、突起部が形成されている、請求項１から請求項３までのいずれか１項に記載のシート保持構造。
【請求項５】
前記湾曲スリットで囲まれた前記基材の領域は、人の手のほぼ指先の大きさを有する、請求項１から請求項４までのいずれか１項に記載のシート保持構造。
【請求項６】
前記基材の他方の主表面上において、前記湾曲スリットで囲まれた前記基材の領域には、前記湾曲スリットの形状に沿って湾曲した立壁部が形成されている、請求項１から請求項５までのいずれか１項に記載のシート保持構造。
【請求項７】
前記湾曲スリットの凸部側が、シートに加えられる引張力の方向に向いている、請求項１から請求項６までのいずれか１項に記載のシート保持構造。
【請求項８】
複数の前記スリットを備える、請求項１から請求項７までのいずれか１項に記載のシート保持構造。
【請求項９】
ハンドル部と、
前記ハンドル部に取り付けられた掃除ヘッド部と、
前記掃除ヘッド部に配置され、シートが前記掃除ヘッド部の周囲の少なくとも一部を覆うようにシートを保持する保持構造部とを備え、
前記保持構造部は、請求項１から請求項８までのいずれか１項に記載のシート保持構造を含む、掃除具。
【請求項１０】
シートの一方と他方の端部が係止されるように少なくとも二つの前記シート保持構造を備え、二つの前記シート保持構造を構成する前記湾曲スリットの凹部側が互いに対向し、凸部側が前記掃除ヘッド部の外側に向くように配置されている、請求項９に記載の掃除具。
【発明の詳細な説明】
【技術分野】
【０００１】
この発明は、一般的には布、紙等のシート形状の物を保持するためのシート保持構造に関し、特定的には、床面を拭き掃除するために掃除具の掃除ヘッド部に取り付けられ、シートを保持するためのシート保持構造に関するものである。
【背景技術】
【０００２】
従来から、織り地または不織布シート等のシートを取り付けて保持したモップ等の掃除用具が知られている。掃除用具にシートを保持するための構造は、たとえば、特許第３５１９３９４号公報（特許文献１）に記載されている。
【０００３】
上記公報に記載されたシート保持構造部を有する掃除用具は、ハンドルと、このハンドルに取り付けられた掃除ヘッドと、この掃除ヘッド上に配置されるとともにシートを掃除ヘッドの周囲に受けて保持する少なくとも一つの保持構造部とを含む。この保持構造部は、可撓性材料で形成されており、頂部を有するベース三角形部と、それぞれの頂部がベース三角形部の頂部から離れた位置でかつベース三角形部の側部に近接した共通点で出会う複数のパイ形部分とを有する。ベース三角形部およびパイ形部分の各々の２側部が、可撓性材料に貫設されたスリットによって画定されている。ベース三角形部およびパイ形部分の各々が撓んでシートを保持することができるようにされている。
【特許文献１】特許第３５１９３９４号公報
【発明の開示】
【発明が解決しようとする課題】
【０００４】
しかしながら、上記公報に記載されたシート保持構造では、掃除用具を使用中にシートが外れる場合があり、掃除ヘッドの周囲にシートを固定するための保持力が不充分であった。特に、乾燥したドライシートだけでなく、埃を拭うために液体を染み込ませたウエットシートを掃除ヘッドの周囲に固定する場合には、充分な保持力を得ることができないため、掃除用具を使用中にシートが掃除ヘッドから外れてしまう場合があった。
【０００５】
そこで、この発明の目的は、シートの保持力を向上させることが可能なシート保持構造とそれを備えた掃除具を提供することである。
【課題を解決するための手段】
【０００６】
この発明に従ったシート保持構造は、可撓性材料からなり、主表面を有する基材と、この基材の主表面に形成されたスリットとを備える。スリットは、湾曲スリットと、この湾曲スリットに沿った方向に間隔をあけて、湾曲スリットの凸部側の形成縁に連なり、かつ湾曲スリットの凸部側の形成縁から突出して延びるように形成された複数の突出スリットとを含む。湾曲スリットで囲まれた基材の部分が撓み、基材の一方の主表面上に載せられるシートの一部分が湾曲スリットと突出スリットに挿入されて係止されることによって保持される。
【０００７】
この発明に従ったシート保持構造においては、基材の一方の主表面上に載せられるシートの一部分が湾曲スリットに挿入されて係止される。また、湾曲スリットに挿入されたシートの一部分が、湾曲スリットの凸部側の形成縁から突出した複数の突出スリットにも挿入されて挟み込まれて係止される。このため、従来のシート保持構造のようにベース三角形部の側部が直線状のスリットで形成されるのに比べて、スリットに挿入されるシートの一部分が曲線状の湾曲スリットに挿入され、また、互いに間隔をあけて分離されて延びる複数の突出スリットにも挿入されることによって係止されるので、シートがより強固に保持される。
【０００８】
この発明に従ったシート保持構造において、湾曲スリットの凹部側の形成縁には、凸部側の形成縁に向かって突出した突出縁部が形成されているのが好ましい。
【０００９】
この場合、湾曲スリットに挿入されたシートの一部分が突出縁部に係合することにより、シートの保持力をさらに高めることができる。
【００１０】
また、この場合、複数の突出縁部が湾曲スリットの凹部側の形成縁に形成されており、複数の突出縁部の各々は、複数の突出スリットの各々が突出する方向に延びるように突出しているのが好ましい。この場合、複数の突出縁部の各々が複数の突出スリットの各々に対応付けて形成されているので、湾曲スリットに挿入されたシートの一部分が突出縁部に係合し、その係合したシートの一部分が突出スリットに挿入されて係止される。したがって、突出縁部を介した湾曲スリットと突出スリットとの相互作用により、シートの保持力をさらに高めることができる。
【００１１】
さらに、この発明に従ったシート保持構造では、基材の他方の主表面上において、湾曲スリットまたは突出スリットの形成縁近傍には、突起部が形成されているのが好ましい。
【００１２】
この場合、湾曲スリットまたは突出スリットに挿入されて係止されるシートの一部分が基材の他方の主表面上において突起部に係合することにより、シートの保持力をより効果的に高めることができる。
【００１３】
この発明に従ったシート保持構造において、湾曲スリットで囲まれた基材の領域は、人の手のほぼ指先の大きさを有するのが好ましい。
【００１４】
この場合、基材の一方の主表面上に載せられたシートの一部分を湾曲スリットで囲まれた基材の領域の上から指先で押圧することにより、シートの一部分を湾曲スリットに挿入することができる。このため、シートを挿入する際に指先を損傷させることなく、容易にシートを湾曲スリットに挿入して保持させることができる。
【００１５】
この発明に従ったシート保持構造では、基材の他方の主表面上において、湾曲スリットで囲まれた基材の領域には、湾曲スリットの形状に沿って湾曲した立壁部が形成されているのが好ましい。
【００１６】
この場合、湾曲スリットの凹側と凸側の基材の領域において平行度をほぼ保った形態に成形することができる。また、湾曲スリットで囲まれた基材の領域の成形強度を高めることができる。
【００１７】
この発明に従ったシート保持構造においては、湾曲スリットの凸部側が、シートに加えられる引張力の方向に向いているのが好ましい。
【００１８】
この場合、シートの一部分が湾曲スリットに係止されて保持された状態でシートに引張力が加えられても、シートがスリットから外れるのを効果的に防止することができる。
【００１９】
この発明に従ったシート保持構造は複数のスリットを備えるのが好ましい。
【００２０】
この場合、シートの一方と他方の端部等の複数の箇所にてシートの一部分をスリットに挿入して係止させることができるので、シートの保持力を高めることができる。
【００２１】
また、この発明に従った掃除具は、ハンドル部と、このハンドル部に取り付けられた掃除ヘッド部と、この掃除ヘッド部に配置され、シートが掃除ヘッド部の周囲の少なくとも一部を覆うようにシートを保持する保持構造部とを備える。この保持構造部は、上述したシート保持構造の少なくともいずれかの構成を含む。
【００２２】
この場合、埃等を拭うためのシートを容易に掃除ヘッド部に取り付けることができ、乾燥したドライシートだけでなく、埃等を拭うために液体または潤滑材を染み込ませたウエットシートを掃除ヘッド部の周囲に固定するための保持力を向上させることができ、掃除具を使用中にシートが掃除ヘッド部から外れてしまうのを防止することができる。
【００２３】
この発明に従った掃除具においては、シートの一方と他方の端部が係止されるように少なくとも二つのシート保持構造を備え、二つのシート保持構造を構成する湾曲スリットの凹部側が互いに対向し、凸部側が掃除ヘッド部の外側に向くように配置されているのが好ましい。
【００２４】
この場合、被掃除面と掃除ヘッド部の周囲を覆うシートの面との摩擦により、掃除方向に沿った方向からシートに加えられる引張力によってシートが外れるのを防止することができる。
【発明の効果】
【００２５】
以上のように、この発明によれば、シートの保持力を向上させることができる。
【発明を実施するための最良の形態】
【００２６】
以下、この発明の一つの実施の形態を図面に基づいて、シート保持構造を、たとえば、掃除具として吸引部を備えた拭き掃除機に適用した例について説明する。
【００２７】
図１は、この発明の一つの実施の形態としてシート保持構造を備えた掃除具を示す斜視図である。
【００２８】
図１に示すように、拭き掃除機１００は、掃除ヘッド部としての拭き掃除ヘッド３と、拭き掃除ヘッド３の一方側、たとえば、前方側に取り付けられた吸いこみノズル４と、吸いこみノズル４からホース５を通じて吸い込まれた塵や埃を溜めるためのダスト容器７と、ダスト容器７を保持するとともに吸い込み駆動部等を収容する本体６と、接続パイプ８を介して本体６に接続され、拭き掃除ヘッド３を操作するためのハンドル部としてハンドル９とを備えている。拭き掃除ヘッド３は、本体６および接続パイプ８を介してハンドル９に接続され、取り付けられている。吸いこみノズル４は、取り付け穴４ａ、４ｂ（図３）に取り付けられ、本体６に対して回動するように構成されている。
【００２９】
拭き掃除ヘッド３の表面には、たとえば、４つのシート保持構造１ａ、１ｂ、１ｃ、１ｄが配置され、取り付けられている。
【００３０】
図２は、この発明の一つの実施の形態の掃除具において掃除ヘッド部へのシート取り付け手順を示す部分斜視図（Ａ）と（Ｂ）である。
【００３１】
図２の（Ａ）に示すように、矢印で示すように吸いこみノズル４を本体６に向かう方向に上方に回動させて、拭き掃除ヘッド３において拭き掃除方向に沿った方向の一方のヘッド外側面３ａを露出させる。そして、広げられたシート２００の上に拭き掃除ヘッド３の下面が接触するように拭き掃除機１００の拭き掃除ヘッド３を載置する。
【００３２】
その後、図２の（Ｂ）に示すように、シート２００が拭き掃除ヘッド３の下面を覆うとともに一方のヘッド外側面３ａと他方のヘッド外側面３ｂを覆って、拭き掃除ヘッド３の周囲の少なくとも一部を覆うようにしてシート２００の一方と他方の端部を折り返し、シート２００の４箇所をそれぞれ、シート保持構造１ａ、１ｂ、１ｃ、１ｄに差し込んで挿入して拭き掃除ヘッド３に保持させる。そして、矢印で示すように吸いこみノズル４を本体６から離れて一方のヘッド外側面３ａに向かう方向に下方に回動させて、元の位置に戻す。このようにして、シート２００が拭き掃除ヘッド３に取り付けられ、保持される。
【００３３】
図３は、この発明の一つの実施の形態の掃除具において掃除ヘッド部を示す部分平面図である。
【００３４】
図３に示すように、二つのシート保持構造１ａ、１ｂは、シート２００の一方と他方の端部が差し込まれ、挿入されて係止されることができるように、矢印で示される拭き掃除ヘッド３の拭き掃除方向Ｓに対向して拭き掃除ヘッド３の表面に配置されている。同様にして、拭き掃除ヘッド３の拭き掃除方向Ｓに直交する方向には、二つのシート保持構造１ａ、１ｂに対向する位置に二つのシート保持構造１ｃ、１ｄが拭き掃除ヘッド３の表面に配置されている。いいかえれば、４つのシート保持構造１ａ、１ｂ、１ｃ、１ｄが矩形状の拭き掃除ヘッド３の表面領域の四隅に均等に配置されている。
【００３５】
４つのシート保持構造１ａ、１ｂ、１ｃ、１ｄの各々は、可撓性材料、たとえば、ポリエチレン、エラストマー等の軟質の合成樹脂からなり、主表面を有する基材としてのベースプレート（基板）１０１と、ベースプレート１０１の主表面に形成されたスリットとを備える。スリットは、湾曲スリット１０と、湾曲スリット１０に沿った方向に間隔をあけて、湾曲スリット１０の凸部側の形成縁に連なり、かつ湾曲スリット１０の凸部側の形成縁から突出して延びるように形成された複数の、たとえば、５つの突出スリット２０、３０、４０、５０、６０とを含む。湾曲スリット１０で囲まれたベースプレート１０１の部分が撓みように構成されている。
【００３６】
４つのシート保持構造１ａ、１ｂ、１ｃ、１ｄの各々のスリットを構成する湾曲スリット１０の凹部側が互いに対向し、凸部側が拭き掃除ヘッド３のヘッド外側面３ａ、３ｂに向くように配置されている。このようにして、湾曲スリット１０の凸部側は、拭き掃除ヘッド３の拭き掃除方向Ｓに沿った方向からシート２００に加えられる引張力の方向に向くように配置されている。
【００３７】
図４は、この発明の一つの実施の形態の掃除具においてシートによって部分的に覆われた掃除ヘッド部を示す部分平面図である。シート２００は二点鎖線で示されている。
【００３８】
図４に示すように、４つのシート保持構造１ａ、１ｂ、１ｃ、１ｄの各々の湾曲スリット１０で囲まれたベースプレート１０１の部分を撓ませて、シート２００の一方と他方の端部にて４箇所の部分が差し込まれ、湾曲スリット１０と突出スリット２０、３０、４０、５０、６０に挿入されて係止される。このようにして、ベースプレート１０１の一方の主表面上に載せられるシート２００の一部分は、拭き掃除ヘッド３の４箇所で保持される。
【００３９】
図５は、この発明の一つの実施の形態としてシート保持構造の上面（表面）を示す上面図である。
【００４０】
図５に示すように、シート保持構造１のベースプレート１０１には、たとえば、Ｕ字状に湾曲した曲線に沿って切り込まれた湾曲スリット１０と、湾曲スリット１０に連なり、湾曲スリット１０から延び、枝状に突出した５つの突出スリット２０、３０、４０、５０、６０とからなるスリットが形成されている。具体的には、突出スリット２０、３０、４０、５０、６０の各々は、湾曲スリット１０に沿った方向に間隔をあけて、湾曲スリット１０の凸部側の形成縁としての湾曲スリット形成縁１１に連なり、湾曲スリット形成縁１１から突出して延びるように形成されている。突出スリット２０、３０、４０、５０、６０によって台形状係止部１５、１６、１７、１８が形成されている。湾曲スリット１０と突出スリット２０、３０、４０、５０、６０とからなるスリットの隙間は、たとえば、０．８〜１．０ｍｍ程度の範囲内が好ましい。また、４〜６個程度の台形状係止部が分離されて形成されるように突出スリットが形成されるのが好ましい。
【００４１】
湾曲スリット１０の凹部側の形成縁としての湾曲スリット形成縁１２には、湾曲スリット形成縁１１に向かって突出した突出縁部として５つの突出縁（突出角部）１３ａ、１３ｂ、１３ｃ、１３ｄ、１３ｅが、たとえば、ほぼ三角形の頂部を形成している。より詳細には、５つの突出縁１３ａ、１３ｂ、１３ｃ、１３ｄ、１３ｅの各々は、５つの突出スリット２０、３０、４０、５０、６０の各々が突出する方向に延びるように突出している。
【００４２】
また、湾曲スリット１０によって囲まれたベースプレート１０１の領域として指先状押圧部（係止部）１４は、人の親指、人差し指等のほぼ指先の大きさを有する。
【００４３】
図６は、この発明の一つの実施の形態としてシート保持構造の下面（裏面）を示す下面図である。
【００４４】
図６に示すように、基材の他方の主表面として、シート保持構造１を構成するベースプレート１０１の裏面においては、湾曲スリット１０の湾曲スリット形成縁１１の近傍には突起部としての複数の円柱状突起部７０が形成され、湾曲スリット形成縁１２の近傍には複数の円柱状突起部８０が形成されている。より詳細には、複数の円柱状突起部７０は、湾曲スリット形成縁１１と突出スリット形成縁２１との交差部、湾曲スリット形成縁１１と突出スリット形成縁２２との交差部、湾曲スリット形成縁１１と突出スリット形成縁３１との交差部、湾曲スリット形成縁１１と突出スリット形成縁３２との交差部、湾曲スリット形成縁１１と突出スリット形成縁４１との交差部、湾曲スリット形成縁１１と突出スリット形成縁４２との交差部、湾曲スリット形成縁１１と突出スリット形成縁５１との交差部、湾曲スリット形成縁１１と突出スリット形成縁５２との交差部、湾曲スリット形成縁１１と突出スリット形成縁６１との交差部、および、湾曲スリット形成縁１１と突出スリット形成縁６２との交差部のそれぞれの近傍に配置されて形成されている。また、複数の円柱状突起部８０は、湾曲スリット形成縁１２における突出縁１３ａ、１３ｂ、１３ｃ、１３ｄ、１３ｅのそれぞれの近傍に形成されている。
【００４５】
また、基材の他方の主表面として、シート保持構造１を構成するベースプレート１０１の裏面においては、湾曲スリット１０で囲まれたベースプレート１０１の領域には、湾曲スリット１０の形状に沿って湾曲した立壁部（縦リブ）が形成されており、たとえば、立壁部９１が形成されている。立壁部９１に連なって接続するように立壁部９２が形成されている。また、湾曲スリット形成縁１２に沿って立壁部９３が形成されている。立壁部９１、９２は相対的に高い垂直壁を形成し、立壁部９３は相対的に低い垂直壁を形成している。
【００４６】
以上のようにして構成されたシート保持構造１においては、ベースプレート１０１の一方の主表面上に載せられるシート２００の一部分が湾曲スリット１０に挿入されて係止されるとともに、湾曲スリット１０に挿入されたシート２００の一部分が、湾曲スリット形成縁１１から突出した突出スリット２０、３０、４０、５０、６０にも挿入されて挟み込まれて係止される。このため、従来のシート保持構造のようにベース三角形部の側部が直線状のスリットで形成されるのに比べて、スリットに挿入されるシート２００の一部分が曲線状の湾曲スリット１０に挿入されるとともに、互いに間隔をあけて分離されて延びる突出スリット２０、３０、４０、５０、６０にも挿入されることによって係止されるので、シート２００がより強固に保持される。この場合、湾曲スリット１０で囲まれたベースプレート１０１の領域としての指先状押圧部１４に指先を押し付け、シート２００の一部分を湾曲スリット１０に挿入し、台形状係止部１５、１６、１７、１８の裏面側に入り込ませて突出スリット２０、３０、４０、５０、６０にも挟み込ませるのが好ましい。
【００４７】
また、湾曲スリット１０に挿入されたシート２００の一部分が突出縁１３ａ、１３ｂ、１３ｃ、１３ｄ、１３ｅに係合することにより、シート２００の保持力をさらに高めることができる。
【００４８】
さらに、突出縁１３ａ、１３ｂ、１３ｃ、１３ｄ、１３ｅの各々が突出スリット２０、３０、４０、５０、６０の各々に対応付けて形成されているので、湾曲スリット１０に挿入されたシート２００の一部分が突出縁１３ａ、１３ｂ、１３ｃ、１３ｄ、１３ｅに係合し、その係合したシート２００の一部分が突出スリット２０、３０、４０、５０、６０の各々に挿入されて係止される。したがって、突出縁１３ａ、１３ｂ、１３ｃ、１３ｄ、１３ｅを介した湾曲スリット１０と突出スリット２０、３０、４０、５０、６０の各々との相互作用により、シート２００の保持力をさらに高めることができる。
【００４９】
湾曲スリット１０または突出スリット２０、３０、４０、５０、６０の各々に挿入されて係止されるシート２００の一部分がベースプレート１０１の裏面上において円柱状突起部７０、８０に係合することにより、シート２００の保持力をより効果的に高めることができる。
【００５０】
また、別の作用効果として、ベースプレート１０１の表面上に載せられたシート２００の一部分を湾曲スリット１０で囲まれた基材の領域として指先状押圧部１４の上から指先で押圧することにより、シート２００の一部分を湾曲スリット１０に挿入することができる。このため、シート２００を挿入する際に指先を損傷させることなく、容易にシート２００を湾曲スリット１０に挿入して保持させることができる。
【００５１】
なお、この実施の形態では、ベースプレート１０１の裏面上において、湾曲スリット１０で囲まれたベースプレート１０１の領域として指先状押圧部１４の裏面には、湾曲スリット１０の形状に沿って湾曲した立壁部９１、９２および／または９３が形成されている。このため、湾曲スリット１０の凹側と凸側のベースプレート１０１の領域において平行度をほぼ保った形態に成形することができる。また、指先状押圧部１４の成形強度を高めることができる。
【００５２】
この実施の形態では、湾曲スリット１０の凸部側が、シート２００に加えられる引張力の方向に向いているので、シート２００の一部分が湾曲スリット１０に係止されて保持された状態でシート２００に引張力が加えられても、シート２００がスリットから外れるのを効果的に防止することができる。
【００５３】
この実施の形態の拭き掃除ヘッド３の保持構造部は、複数のシート保持構造１ａ、１ｂ、1ｃ、1ｄから構成され、すなわち、複数のスリットを備えているので、シート２００の一方と他方の端部等の複数の箇所にてシート２００の一部分をスリットに挿入して係止させることができ、シート２００の保持力を高めることができる。
【００５４】
また、上述した実施の形態のように本発明のシート保持構造を掃除具に適用することにより、埃等を拭うためのシート２００を容易に拭き掃除ヘッド３に取り付けることができ、乾燥したドライシートだけでなく、埃等を拭うための液体または潤滑材を染み込ませたウエットシートを拭き掃除ヘッド３の周囲に固定するための保持力を向上させることができ、拭き掃除機１００を使用中にシート２００が拭き掃除ヘッド３から外れてしまうのを防止することができる。シート２００の形態としては織り地、不織布等の形態でもよく、その材料は紙等の天然繊維、合成繊維等である。シート２００は、乾燥させたものでもよく、埃等を拭うために所定の成分を含む液体を染み込ませたものでもよい。
【００５５】
さらに上記の実施の形態の掃除具においては、シート２００の一方と他方の端部が係止されるように少なくとも二つのシート保持構造１を備え、二つのシート保持構造１を構成する湾曲スリット１０の凹部側が互いに対向し、凸部側が拭き掃除ヘッド３の外側に向くように配置されているので、被掃除面と拭き掃除ヘッド３の周囲を覆うシート２００の面との摩擦により、掃除方向Ｓに沿った方向からシート２００に加えられる引張力によってシート２００が外れるのを防止することができる。
【００５６】
図７は、別の実施の形態としてシート保持構造を示す平面図である。
【００５７】
図７に示すように、シート保持構造２は、ベースプレート（基板）２０１の中央に穴２３が配置されて形成されている。穴２３の外周縁から放射状に延びるように複数の、たとえば、８個程度の放射状突出スリット２４ａ、２４ｂ、２４ｃ、２４ｄ、２４ｅ、２４ｆ、２４ｇ、２４ｈが形成されている。放射状突出スリット２４ａ、２４ｂ、２４ｃ、２４ｄ、２４ｅ、２４ｆ、２４ｇ、２４ｈの間には複数の台形状係止部分が形成されている。穴２３の大きさは、たとえば、８ｍｍ程度が好ましく、突出スリット２４ａ、２４ｂ、２４ｃ、２４ｄ、２４ｅ、２４ｆ、２４ｇ、２４ｈの隙間は、たとえば、０．８〜１．０ｍｍ程度の範囲内が好ましい。
【００５８】
すなわち、図７に示されるシート保持構造は、可撓性材料からなり、主表面を有する基材と、この基材の主表面に形成された穴とスリットとを備える。スリットは、穴の形成縁に沿った方向に間隔をあけて、穴の形成縁に連なり、かつ穴の形成縁から突出して延びるように形成された複数のスリットを含む。複数のスリットの間に形成された基材の部分が撓み、基材の一方の主表面上に載せられるシートの一部分が穴と突出スリットに挿入されて係止されることによって保持される。
【００５９】
このシート保持構造においては、基材の一方の主表面上に載せられるシートの一部分が穴に挿入されて係止される。また、穴に挿入されたシートの一部分が、複数のスリットにも挿入されて挟み込まれて係止される。このため、従来のシート保持構造のようにベース三角形部の側部が直線状のスリットで形成されるのに比べて、穴に挿入されるシートの一部分が互いに間隔をあけて分離されて延びる複数のスリットにも挿入されることによって係止されるので、シートがより強固に保持される。この場合、穴にシートの一部分を挿入するために、指や鉛筆等の棒状部材を用いて穴内にシートの一部分を押し込み、その穴の周辺に位置する複数のスリットにシートの一部分を挟み込むことにより、シートの保持力を高めることができる。
【００６０】
なお、以上で説明された実施の形態では、シート保持構造を備えた掃除具のうち、吸引部を備えた拭き掃除機に適用した例について説明したが、吸引部のない、布、紙等のシート形状の拭き取り部分を少なくとも取り付けることが可能なモップ等の拭き掃除具であれば、その拭き取り部分を保持するために上記のシート保持構造を備えることにより、上記と同様の作用効果を達成することができる。
【００６１】
また、以上で説明された実施の形態では、シート保持構造を備えた掃除具に適用した例について説明したが、掃除具ではなく、布、紙等のシート形状の物を保持するための技術分野に幅広く適用することができ、たとえば、タオル等の布を壁等に保持するための保持具等にも適用することにより、シートの保持力を高めることができる。
【００６２】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正や変形を含むものである。
【図面の簡単な説明】
【００６３】
【図１】この発明の一つの実施の形態としてシート保持構造を備えた掃除具を示す斜視図である。
【図２】この発明の一つの実施の形態の掃除具において掃除ヘッド部へのシート取り付け手順を示す部分斜視図（Ａ）と（Ｂ）である。
【図３】この発明の一つの実施の形態の掃除具において掃除ヘッド部を示す部分平面図である。
【図４】この発明の一つの実施の形態の掃除具においてシートによって部分的に覆われた掃除ヘッド部を示す部分平面図である。
【図５】この発明の一つの実施の形態としてシート保持構造の上面（表面）を示す上面図である。
【図６】この発明の一つの実施の形態としてシート保持構造の下面（裏面）を示す下面図である。
【図７】別の実施の形態としてシート保持構造を示す平面図である。
【符号の説明】
【００６４】
１，１ａ，１ｂ，１ｃ，１ｄ：シート保持構造、３：拭き掃除ヘッド、９：ハンドル、１０：湾曲スリット、１１，１２：湾曲スリット形成縁、１３ａ，１３ｂ，１３ｃ，１３ｄ，１３ｅ：突出縁（突出角部）、１４：指先状押圧部（係止部）、２０，３０，４０，５０，６０：突出スリット、２１，２２，３１，３２，４１，４２，５１，５２，６１，６２：突出スリット形成縁、７０，８０：円柱状突起部、９１，９２，９３：立壁部、１００：拭き掃除機、１０１：ベースプレート（基板）、２００：シート。
【図１】
2006122355.tif 000003
【図２】
2006122355.tif 000004
【図３】
2006122355.tif 000005
【図４】
2006122355.tif 000006
【図５】
2006122355.tif 000007
【図６】
2006122355.tif 000008
【図７】
2006122355.tif 000009